(57)【要約】【課題】エレベータのかご室の上に広い保守点検用の作業用スペースを確保する。【解決手段】かご室４内を空調する空調装置５を、かご室４の上ではなく、かご室４の側壁面４ｂの外側に配設する。空調装置５は、仕切り壁７を境界として上側に蒸発器部分８を配置し、下側に凝縮器部分９を配置して同一の筺体６内に収納して構成されている。凝縮器部分８の排出口を筺体の最下部に設置し、その直上に凝縮器用ファンを設置する。空調装置の凝縮器部分の排出口を筺体の最下部に設置し、その直上に凝縮器用ファンを設置する。空調装置の蒸発器部分の冷気供給口を、かご室側壁面の上部に設けられた空気吹き出し口に連通させる。【選択図】図２
2009215033.tif 000002
【特許請求の範囲】
【請求項１】
かご室と、
このかご室の側壁面の外側に配設され、前記かご室内を空調する空調装置と、
を備えてなるエレベータの乗りかご。
【請求項２】
前記空調装置を、仕切り壁を介して一つの筐体内を上下に仕切り、その上部空間に蒸発器部分を配置し、下部空間に凝縮器部分を配置して構成したことを特徴とする請求項１に記載のエレベータの乗りかご。
【請求項３】
前記空調装置の凝縮器部分の排出口を前記筺体の最下部に設置し、その直上に凝縮器用ファンを設置したことを特徴とする請求項２に記載のエレベータの乗りかご。
【請求項４】
前記空調装置の蒸発器部分の冷気供給口を、前記かご室側壁面の上部に設けられた空気吹き出し口に連通したことを特徴とする請求項２または請求項３に記載のエレベータの乗りかご。
【請求項５】
エレベータのかご室の側壁面の外側に配設され、仕切り壁を介して一つの筐体内を上下に仕切られ、その上部空間に蒸発器部分が配置され、下部空間に凝縮器部分が配置されたことを特徴とするエレベータ乗りかご用空調装置。
【発明の詳細な説明】
【技術分野】
【０００１】
本発明は、エレベータの乗りかごおよびそのための空調装置に関するものである。
【背景技術】
【０００２】
一般にエレベータにおいては、利用者が階床間を快適に移動できるように乗りかご内の空調を行なうようにしている。この乗りかご内の空調は、例えば特許文献１および２に記載されているように、かご室の上に設けられた空調装置により行なう構成が一般的である。
【０００３】
この空調装置は、冷媒を圧縮する圧縮機、圧縮機から吐出された高温高圧の冷媒を凝縮して周囲の空気と熱交換する凝縮器、凝縮器から吐出された冷媒を膨張弁により膨張させて周囲の空気と熱交換する蒸発器や、高温、低温に熱交換された空気をそれぞれ送風する凝縮器用ファンおよび蒸発器用ファンなどを備えており、かご室の上に大きなスペースを占有して設置されている。またかご室の上には、空調装置の他にも乗降用ドアの開閉機構やメインロープの連結機構などの機器が設置されている。
【特許文献１】特開２００１−３３５２６４号公報
【特許文献２】特開２００７−３３３２４３号公報
【発明の開示】
【発明が解決しようとする課題】
【０００４】
ところで、上記のかご室の上は、乗りかごや昇降路内に設置された機器などを保守点検する際に作業員が搭乗して作業を行なう場所でもある。このため上述のようにかご室の上に大きな設置スペースを必要とする空調装置などが存在していると、作業用スペースが狭くて複雑な形状にならざるを得ず、作業者の移動や保守点検時などにおける作業性および安全性が損なわれるおそれがあった。
【０００５】
本発明は、上述のような従来技術の課題を解決するためになされたものであり、その目的とするところは、かご室の上に広い保守点検用の作業用スペースを確保することのできるエレベータの乗りかごおよびそのための空調装置を提供することにある。
【課題を解決するための手段】
【０００６】
上記目的を達成するために、本発明に係るエレベータの乗りかごは、かご室と、このかご室の側壁面の外側に配設され、かご室内を空調する空調装置と、を備えてなることを特徴とする。
【０００７】
また、本発明に係るエレベータ乗りかご用空調装置は、エレベータのかご室の側壁面の外側に配設され、仕切り壁を介して一つの筐体内を上下に仕切られ、その上部空間に蒸発器部分が配置され、下部空間に凝縮器部分が配置されたことを特徴とする。
【発明の効果】
【０００８】
本発明によれば、かご室の上の作業用スペースを広く確保することができ、作業者の移動や保守点検時などにおける作業性および安全性を向上することができる。
【発明を実施するための最良の形態】
【０００９】
以下、本発明に係るエレベータの乗りかごの実施の形態について図面を参照して説明する。図１ないし図４は、本発明に係るエレベータの乗りかごの一実施の形態を示し、そのうち図１はエレベータの平面断面図、図２は図１に示すエレベータの側面断面図、図３は図２に示す空調装置の概略構成を示す側面断面図、図４は図３のかご室内上部の主要部を示す斜視図である。
【００１０】
図１および図２において、エレベータの乗りかご１は、メインロープ（図示せず）を介して釣合い重り２とつるべ式に連結されており、メインロープを駆動する巻き上げ機（図示せず）により昇降路３内を昇降するようになっている。乗りかご１は、正面に乗降口４ａを有するかご室４を図示しないかご枠に取り付けて構成されている。このかご室４の乗降口４ａからみて正面に位置する側壁面４ｂの外側には、かご室４内を空調する空調装置５が配設されている。
【００１１】
この空調装置５は、冷媒の凝縮・膨張の繰り返しにより空気を冷却する冷凍サイクルを利用したもので、図３に示すように、一つの筺体６内を仕切り壁７により上下に仕切り、その上部空間に蒸発器部分８を配設し、下部空間に凝縮器部分９を配設して構成されている。
【００１２】
蒸発器部分８は、冷媒を圧縮する圧縮機１０、膨張した冷媒によって昇降路内から吸込まれた空気を冷却する蒸発器１１、蒸発器１１から滴下するドレン水を貯めて矢印Ａで示すように筺体６外に排出するドレンタンク１２および蒸発器１１で冷却された空気を矢印Ｂで示すようにかご室４内に送風する蒸発器用ファン１３などで構成されている。
【００１３】
なお、かご室４の上部には、図４に示すように空気吹き出し口１７が設けられており、この空気吹き出し口１７に蒸発器部分８の冷気供給口が図示しない配管を介して連通されて最短距離でかご室４内に冷気を供給できるようになっている。
【００１４】
凝縮器部分９は、圧縮機１０から吐出された高温高圧の冷媒を凝縮して周囲の空気と熱交換する凝縮器１４、冷却水を散布して凝縮器１４の冷媒との熱交換で温度上昇した空気を冷却する蒸散器１５、蒸散器１５から排出された高温の空気を矢印Ｃで示すように筺体６の下部に設けた排出口６ａを介して筺体６の下方に排出する凝縮器用ファン１６などで構成されている。
【００１５】
そして蒸発器部分８の蒸発器１１や圧縮機１０および凝縮器部分９の凝縮器１４は、図示しない配管を介して連通されており、これらの機器内を冷媒が循環して冷凍サイクルを構成するようになっている。
【００１６】
なお、この空調装置５は、かご室４の側壁面４ｂの外側に限らず、釣合い重り２が側壁面４ｂの外側に配設される場合などにおいては、乗降口４ａからみて左右両側に位置する側壁面４ｃ，４ｄのいずれか一方の側壁面の外側に配設することもできる。
【００１７】
このように本実施の形態によれば、空調装置５を、かご室４の上ではなく、かご室４の側壁面４ｂ，４ｃ，４ｄのいずれか一つの側壁面の外側に配設したことにより、かご室４の上の作業用スペースを広く確保することができ、作業者の移動や保守点検時などにおける作業性および安全性を向上することができる。
【００１８】
また空調装置５を、上下方向に長い筺体６の中間部を仕切り壁７で仕切り、その上部空間に蒸発器部分８を配置し、下部空間に凝縮器部分９を配置して上下方向に長くなるように構成しているので、水平方向の幅寸法を小さく構成でき、昇降路３の断面積の拡大を低減することができる。
【００１９】
さらに空調装置５の凝縮器部分９の排出口６ａを筺体６の最下部に設置し、その直上に凝縮器用ファン１６を設置したことにより、水分を含んだ廃熱空気を他の機器に悪影響を与えることなく放出することができる。
【図面の簡単な説明】
【００２０】
【図１】本発明に係るエレベータの乗りかごの一実施の形態を示すエレベータの平面断面図である。
【図２】図１に示すエレベータの側面断面図である。
【図３】図２に示す空調装置の概略構成を示す側面断面図である。
【図４】図３のかご室内上部の主要部を示す斜視図である。
【符号の説明】
【００２１】
１：乗りかご、２：釣合い重り、３：昇降路、４：かご室、４ａ：乗降口、４ｂ，４ｃ，４ｄ：側壁面、５：空調装置、６：筺体、６ａ：排出口、７：仕切り壁、８：蒸発器部分、９：凝縮器部分、１０：圧縮機、１１：蒸発器、１２：ドレンタンク、１３：蒸発器用ファン、１４：凝縮器、１５：蒸散器、１６：凝縮器用ファン、１７：空気吹き出し口
【図１】
2009215033.tif 000003
【図２】
2009215033.tif 000004
【図３】
2009215033.tif 000005
【図４】
2009215033.tif 000006